(57)【特許請求の範囲】
【請求項１】
平板状でなる本体の端部から突出する突出部を有する機器を、前記突出部を床面側にして前記本体が立てられた状態で収納する収納スタンドであって、
前記機器の前記突出部を支持する第１支持部と、前記機器の前記端部を支持する第２支持部と、を有する第１支持体と、
前記機器の前記突出部を支持する第１支持部と、前記機器の前記端部を支持する第２支持部と、を有する第２支持体と、を備え、
前記第１支持体及び前記第２支持体は、前記第１支持体の前記第１支持部と前記第２支持体の前記第１支持部とを対向させて配置し、かつ揺動可能な構成としたこと
を特徴とする収納スタンド。
【請求項２】
前記第１支持体と前記第２支持体とは、前記第１支持体及び第２支持体が同期して揺動するように連結されていることを特徴とする請求項１に記載の収納スタンド。
【請求項３】
前記第１支持体及び前記第２支持体は、それぞれの前記第１支持部と前記第２支持部との間が平坦部として構成されるとともに、それぞれの前記第２支持部からは傾斜部が設けられていることを特徴とする請求項１又は請求項２に記載の収納スタンド。
【請求項４】
前記第１支持体及び前記第２支持体は、前記平坦部が水平で前記傾斜部の端部が床面に接近する第１状態と、前記平坦部の前記第１支持部側が低く前記第２支持部が高くなる第２状態と、の間で揺動することを特徴とする請求項３に記載の収納スタンド。
【請求項５】
前記機器の前記本体のうち、前記端部とは異なる２つの部位を支持するための第３支持体及び第４支持体を備えることを特徴とする請求項１乃至請求項４のうち、いずれか１に記載の収納スタンド。
【請求項６】
前記第３支持体及び前記第４支持体の少なくとも一方は、前記機器の２つの部位の少なくとも一方に当接する転動部材が装着されていることを特徴とする請求項５に記載の収納スタンド。
【発明の詳細な説明】
【技術分野】
【０００１】
本発明は、機器を収納するための収納スタンドに関し、特に被験者の重量を測定するための大型の薄型秤等の機器を立て掛けた状態で収納するための収納スタンドに関する。
【背景技術】
【０００２】
大型の薄型秤等の機器を使っていないときにおいて、使用時の状態のままで機器を保管しておくことは、薄型秤の専有面積が比較的大きいことから、機器を設置している部屋の床面積が奪われてしまい，使用者にとっては不便を感じることがある。従って、機器を使用しない時には、通常、機器を壁に立て掛けた状態や、壁と家具などとの間に形成される狭い隙間に直立させた状態で保管することが行われている。
【０００３】
また、機器の収納性を向上させることを目的とする従来の機器収納装置が提案されている（特許文献１参照）。従来の機器収納装置は、機器を保持するパネルと、機器を保持した状態のパネルを収納できる収納キャビネットと、を備える。機器を使用するときには、パネルが床面に対して機器が水平な姿勢を取れ、使用しない収納時には、パネルが回転し、機器が床面に対して垂直な姿勢を取ることができる構成である。
【先行技術文献】
【特許文献】
【０００４】
【特許文献１】特開２００９−６９１１６号公報
【発明の概要】
【発明が解決しようとする課題】
【０００５】
しかしながら、機器を壁等に立て掛けた状態で保管すると、機器が壁から床面に滑り落ちた場合には機器の損傷を招く恐れがある。また、機器を立て掛けられる壁等がなければ、直立状態を維持することが出来ず、特に、例えば商品として陳列したりする際などの場面では、外観上好ましいとは言えない。また、機器を前記隙間に収納し直立させた状態で保管する場合には、収容に適した隙間が必ずしも存在するとは限らず、また、収納場所が限定され利便性が良くない。さらに、特許文献１に記載のような従来の機器収納装置では、その収納場所が、収納キャビネットを配置できる場所に限定されてしまい、収納される機器を任意の場所で使用したり収納したりすることは困難である。
【０００６】
そこで、本発明は、機器の形状にかかわらず、収納時における機器の専有面積を小さく抑えて収納場所の選択の自由度を高めるとともに、安定して機器を収納でき、見栄えの良い収納状態を実現できる、収納スタンドを提供することを目的とする。
【課題を解決するための手段】
【０００７】
上記課題を解決するための本発明の収納スタンドは、平板状でなる本体の端部から突出する突出部を有する機器を、突出部を床面側にして本体が立てられた状態で収納する収納スタンドであって、機器の突出部を支持する第１支持部と、機器の端部を支持する第２支持部と、を有する第１支持体と、機器の突出部を支持する第１支持部と、機器の端部を支持する第２支持部と、を有する第２支持体と、を備え、第１支持体及び第２支持体は、第１支持体の第１支持部と第２支持体の第１支持部とを対向させて配置し、かつ揺動可能な構成としたことを特徴とする。
【０００８】
また、本発明の収納スタンドによれば、第１支持体と第２支持体とは、第１支持体及び第２支持体が同期して揺動するように連結されていることを特徴とする。
【０００９】
さらに、本発明の収納スタンドによれば、第１支持体及び第２支持体は、それぞれの第１支持部と第２支持部との間が平坦部として構成されるとともに、それぞれの第２支持部からは傾斜部が設けられていることを特徴とする。
【００１０】
また、本発明の収納スタンドによれば、第１支持体及び第２支持体は、平坦部が水平で傾斜部の端部が床面に接近する第１状態と、平坦部の第１支持部側が低く第２支持部が高くなる第２状態と、の間で揺動することを特徴とする。
【００１１】
さらに、本発明の収納スタンドによれば、機器の本体のうち、端部とは異なる２つの部位を支持するための第３支持体及び第４支持体を備えることを特徴とする。
【００１２】
さらに、本発明の収納スタンドによれば、第３支持体及び第４支持体の少なくとも一方は、機器の２つの部位の少なくとも一方に当接する転動部材が装着されていることを特徴とする。
【００１３】
なお、本明細書において、第１支持体及び第２支持体の第１支持部は、第１支持体及び第２支持体の揺動（回転）中心を基準として、揺動中心を含まずに、揺動中心から離れる一方向に延在する部分又はその一部分を意味する。また、第１支持体及び第２支持体の第２支持部は、第１支持体及び第２支持体の揺動中心を基準として、揺動中心を含まずに、揺動中心から離れる他方向（上記一方向に対向する方向）に延在する部分又はその一部分を意味する。
【発明の効果】
【００１４】
本発明の収納スタンドは、例えばキャスターのような突起部のある機器であっても、第１支持体及び第２支持体により、機器の複数の部位を確実に支持することができるので、機器を安定して収納することができる。さらに、機器収納スタンドを用いて機器を収納することにより、見栄え良く機器を収納できるとともに、収納場所の選択の自由度を高めることができる。
【図面の簡単な説明】
【００１５】
【図１】本発明の実施形態に係る収納スタンドの斜視図である。
【図２】図１に示される収納スタンドに体重計を収納した状態を示す側面図である。
【図３】図１に示される収納スタンドの第１支持体及び第２支持体を主として示す部分拡大斜視図である。
【図４】第１支持体及び第２支持体の第１支持部が上昇した状態を示す部分拡大斜視図である。
【図５】第１支持体及び第２支持体の第１支持部が下降した状態を示す部分拡大斜視図である。
【図６】使用状態の体重計を示す斜視図である。
【図７】体重計を床面に直立させた状態で示す正面図である。
【図８】体重計を収納した状態の収納スタンドの第１支持体及び第２支持体を模式的に示す図であり、（ａ）は第１支持体及び第２支持体の揺動の第１状態を示す図、（ｂ）は第１支持体及び第２支持体の揺動の第２状態を示す図である。
【発明を実施するための形態】
【００１６】
〔収納スタンド〕
以下、本発明に係る収納スタンドの実施形態について、図面を参照しつつ説明する。図１は、本発明の実施形態に係る収納スタンド１の斜視図、図２は、図１に示される収納スタンド１に体重計（機器）１１１を収納した状態を示す側面図、図３は、図１に示される収納スタンド１の第１支持体３及び第２支持体５を主として示す部分拡大斜視図、図４は、第１支持体３及び第２支持体５の第１支持部が上昇した状態を示す部分拡大斜視図、図５は、第１支持体３及び第２支持体５の第１支持部が下降した状態を示す部分拡大斜視図である。
【００１７】
図１に示す収納スタンド１は、車輪（突出部）１１９が設けられているサイドカバー（端部）１１６を備える体重計１１１を収納するためのものである。体重計１１１は、収納時に、サイドカバー１１６が底部（すなわち床面側）となり、ほぼ直立した姿勢となる（図２、図７参照）。なお、体重計の構成については後述する。
【００１８】
収納スタンド１は、主として、体重計１１１のサイドカバー１１６を支持する第１支持体３及び第２支持体５を備える。第１支持体３及び第２支持体５は、揺動可能である。第１支持体３及び第２支持体５それぞれの一端部（第１支持部３ａ１、５ａ１）が車輪１１９により付勢されると、第１支持体３及び第２支持体５それぞれの他端部（第２支持部３ａ２、５ａ２）がサイドカバー１１６を支持する構成である。
【００１９】
第１支持体３及び第２支持体５は、金属製の薄板部材から構成されている。第１支持体３及び第２支持体５は、側面視（図２参照）で略コ字形状であり、平坦部３ａ、５ａと、平坦部３ａ、５ａの長手方向に沿って延在し、平坦部３ａ、５ａに対して垂直方向に延びる立設部３ｂ、５ｂと、を備える。第１支持体３及び第２支持体５の平坦部３ａ、５ａは、体重計１１１の車輪１１９を支持するための第１支持部３ａ１、５ａ１と、サイドカバー１１６を支持するための第２支持部３ａ２、５ａ２と、を備える。また、平坦部３ａ、５ａが互いに直線状に延在するように、すなわち、第１支持部３ａ１と第１支持部５ａ１とを対向させて第１支持体３及び第２支持体５が配置されている。なお、第１支持体３及び第２支持体５は、両者を連結する連結機構を除き、形状及び寸法が同じであるので、第１支持体３を用いてその構成について以下に説明する。
【００２０】
第１支持体３の平坦部３ａの幅方向の両端部に設けられている２つの立設部３ｂと、後述する２つのビーム部材１５のビーム立設部１５ｂとには、立設部３ｂ及びビーム立設部１５ｂの厚さ方向に貫通するピン穴が設けられている。ピン穴にはピン１７が挿入され、第１支持体３がピン１７を揺動中心として揺動可能にピン１７に支持される構成である。このように、第１支持体３は、両立設部３ｂに設けられた２つのピン１７を中心として揺動可能である（図８の矢印５１、５３参照）。
【００２１】
さらに、収納スタンド１を床面に設置した状態で、第１支持体３が揺動できる構成とするために、水平状態にあるとき（図４参照）の第１支持体３の平坦部３ａが、床面から所定高さ位置となるように、第１支持体３が、ピン１７を介してビーム部材１５に装着されている。なお、第１支持体３に設けられるピン１７が挿入されるピン穴の位置は、第１支持体３の長手方向長さや、必要とされる揺動範囲に応じて、適宜設定される。なお、平坦部３ａの幅方向寸法及び長手方向寸法は、支持する対象である体重計１１１すなわち機器の端部の長手方向長さ及び幅方向寸法に応じて設定される。
【００２２】
第１支持体３及び第２支持体５の立設部３ｂ、５ｂであって、第１支持体３と第２支持体５とが互いに対向する第１支持部３ａ１、５ａ１側には、第１支持体３及び第２支持体５を互いに連結する連結機構が設けられている。具体的には、第１支持体３の立設部３ｂには、平坦部３ａの端面を越えて突出する延長部３ｃが設けられ、延長部３ｃは、連結凸部２３を有する。また、第２支持体５の立設部５ｂには、平坦部５ａの端面を越えて突出する延長部５ｃが設けられ、延長部５ｃは、連結凸部２３と相補的な形状及び寸法である連結凹部２５を有する。連結凸部２３及び連結凹部２５の一方が、連結凹部２５及び連結凸部２３の他方に対して枢動できるように、連結凸部２３が連結凹部２５内に嵌合している。
【００２３】
このように、第１支持体３及び第２支持体５は、第１支持体３の平坦部３ａと第２支持体５の平坦部５ａと、の間に隙間Ｇを設けた状態で連結され、第１支持体３及び第２支持体５の平坦部３ａ、５ａが互いに干渉することなく、第１支持体３及び第２支持体５の連結凸部２３及び連結凹部２５が枢動する構成である。
【００２４】
なお、本実施形態の連結機構は、所定の曲率半径を備える円弧形状の連結凸部２３及び連結凹部２５から構成されているが、本発明はこの構成に限定されない。第１支持体３及び第２支持体５を同期して揺動できる機構であれば適宜変更できる。このように、第１支持体３及び第２支持体５を同期して揺動可能にすることにより、体重計１１１を第１支持体３及び第２支持体５上を移動させる際に、第１支持体３及び第２支持体５の一端部により体重計１１１の端面に傷を付けたり、体重計１１１の移動を妨げることがない。また、第１支持体に連結凸部２３を設け、第２支持体５に連結凹部２５を設ける構成としたが、第１支持体３に連結凹部２５を設け、第２支持体５に連結凸部２３を設けることも可能である。
【００２５】
また、第１支持体３及び第２支持体５の第２支持部３ａ２、５ａ２には、傾斜部３ｄ、５ｄが連続して延びる構成としても良い。この場合は、平坦部３ａ、５ａと傾斜部３ｄ、５ｄとの間の角度は、鈍角を形成する。さらに、平坦部３ａ、５ａと傾斜部３ｄ、５ｄとの境界は、稜線により規定される。このように傾斜部３ｄ、５ｄを設けることで、床面に対して所定の高さに延在する平坦部３ａ、５ａへの体重計１１１の移動を容易にできる。
【００２６】
図１及び図２に示すように、収納スタンド１は、さらに第１支持体３及び第２支持体５が固定される基部７と、基部７が床面に配置された状態で、基部７から上方に延びる第３支持体９及び第４支持体１１と、第１支持体３及び第２支持体５に平行に延びる一対のビーム部材１５と、を備える。基部７は、第１支持体３及び第２支持体５の長手方向に対して交差する方向に延び、所定距離離間し互いに平行に配置される一対の基部構成部材１３から構成される。基部構成部材１３は、正面視で（図２の矢印Ｘ方向から視て）矩形状で薄板金属製の中空部材から形成されている。基部構成部材１３の接地する面には、フランジ１４が設けられ、基部構成部材１３の床面に対する接地面積を大きくし収納スタンド１の安定性を確保している。
【００２７】
図１に示すように、２つの基部構成部材１３は、同一形状及び同一寸法である２つのビーム部材１５により連結されている。なお、図１においては、連結凸部２３と連結凹部２５との嵌合状態を示すために、ビーム部材１５のビーム立設部１５ｂの一部の図示を省略している。金属製の薄板部材から形成されているビーム部材１５は、側面視（図２参照）で略コ字形状であり、ビーム平坦部１５ａと、ビーム平坦部１５ａの長手方向に沿って延び、ビーム平坦部１５ａに対して垂直方向に延びるビーム立設部１５ｂと、を有する。ビーム部材１５は、ビーム立設部１５ｂが第１支持体３及び第２支持体５の立設部３ｂ及び５ｂに隣り合うように、配置されている。また、前述の通り、ビーム立設部１５ｂには、その厚さ方向に貫通するピン穴が設けられ、第１支持体３及び第２支持体５を揺動可能に支持するためのピン１７が装着されている。これにより、第１支持体３及び第２支持体５は、平坦部３ａ、５ａが水平で傾斜部３ｄ、５ｄの端部が床面に接近する第１状態と、平坦部３ａ、５ａの第１支持部３ａ１、５ａ１側が低く、第２支持部３ａ２、５ａ２が高くなる第２状態と、の間で揺動することを特徴とする。
【００２８】
図１に示すように、第３支持体９及び第４支持体１１は、中空の金属製部材から構成される。なお、図１においては、第１支持体３及び第２支持体５の連結状態を示すために、第３支持体９の一部の図示を省略している。第３支持体９は、第４支持体１１より、床面からの高さ寸法が短く寸法付けされている。体重計１１１が第１支持体３及び第２支持体５の平坦部３ａ、５ａに載置されると、第３支持体９及び第４支持体１１は、体重計１１１の上面であるプラットフォーム１１４及び底面１１１ｂを支持する。
【００２９】
第３支持体９は、第１支持体３及び第２支持体５の近傍で基部構成部材１３に固定される２つの第３支持端部９ａと、第３支持端部９ａに連続する第３支持基部９ｂと、水平方向に延び第３支持基部９ｂに連続する第３支持水平部９ｃとを有する。第３支持基部９ｂは、側面視（図２参照）において第１支持体３及び第２支持体５から離れる方向に延び、さらに、第１支持体３及び第２支持体５側へ戻る方向に湾曲しつつ、鉛直方向に対して所定角度で傾斜し上方に延びる。
【００３０】
第３支持水平部９ｃの長手方向の中央部には、第１転動体が設けられている。第１転動体は、第１車輪３１と、第１車輪３１を回転可能に保持する第１車輪台座３３を有する。第１車輪３１の回転軸線は、ほぼ鉛直方向に延び、直立させた体重計１１１を平坦部３ａ、５ａ上で移動させると、第１車輪３１は、体重計１１１のプラットフォーム１１４上を回転しつつ支持する。このように構成することにより、体重計１１１をスムーズに誘導して収納可能となり、体重計１１１の損傷を防止することも可能となる。
【００３１】
第４支持体１１は、第１支持体３及び第２支持体５の近傍で基部構成部材１３に固定される２つの第４支持端部１１ａと、第４支持端部１１ａに連続し、基部構成部材１３から上方に向かって延びる第４支持基部１１ｂと、第４支持基部１１ｂに連続し水平方向に延びる第４支持水平部１１ｃと、を有する。第４支持基部１１ｂは、側面視（図２参照）において第１支持体３及び第２支持体５から離れる方向に延び、第１支持体３及び第２支持体５側へ戻る方向に湾曲しつつ、鉛直方向に対して所定角度で傾斜しつつ上方に延びる。
【００３２】
第４支持水平部１１ｃの長手方向の中央部には、第２転動体が設けられている。第２転動体は、第２車輪４１と、第２車輪４１を回転可能に保持する第２車輪台座４３を有する。第２車輪４１の回転軸線は、ほぼ鉛直方向に延び、直立させた体重計１１１を平坦部３ａ、５ａ上で移動させると、第２車輪４１は体重計１１１の底面１１１ｂ上を回転しつつ支持する。このように構成することにより、体重計１１１をスムーズに誘導して収納可能となり、体重計１１１の損傷を防止することも可能となる。上記の通り、第３支持体９及び第４支持体１１により、体重計１１１の厚さ方向（図２の左右方向）の移動が規制される。
【００３３】
また、第４支持水平部１１ｃには、水平面を有する表示ボックス保持台４５が装着されている。表示ボックス保持台４５には、体重計１１１の表示ボックス１１３を載置することが可能である。
【００３４】
〔体重計〕
次に、収納スタンド１に収納される体重計１１１の構成について図面を参照しつつ簡単に説明する。図６は、使用状態の体重計１１１を示す斜視図、図７は、体重計１１１を床面に直立させた状態で示す正面図である。収納スタンド１に収納される体重計１１１は、車椅子に乗った被験者の体重を、車椅子ごと測定可能な大型の体重計として利用される。
【００３５】
体重計１１１は、体重計本体（機器）１１２と、体重計本体１１２に取り付けられたフック１１８と、を備える。さらに、体重計本体１１２の表面には、被験者が搭乗している車椅子が載るプラットフォーム１１４が設けられており、その内部には、ロードセル（図示せず）が配置されている。
【００３６】
また、プラットフォーム１１４の一部は、サイドカバー１１５及びサイドカバー１１６（すなわち体重計の端部）により覆われ、プラットフォーム１１４の露出している領域が、車椅子の通り道を構成するとともに、被験者及び車椅子の重量を測定するための測定領域を構成する。
【００３７】
さらに、サイドカバー１１５には、フック１１８が固定されている。フック１１８は、体重計本体１１２を持ち上げたり、移動させたりする際に使用者が把持するために用いられる。
【００３８】
サイドカバー１１６には、車輪１１９が装着されている。なお，手摺り部材（図示せず）がサイドカバー１１６に取り外し可能に固定されるようになっていてもよい。
【００３９】
本実施形態の体重計１１１は、３つの車輪１１９を備え、車輪１１９は、体重計本体１１２の輪郭よりも外側に突出するように取り付けられている。なお、車輪１１９の各々の形状及び寸法は同じであるが、サイドカバー１１６の長手方向の中央部にある主車輪１１９ａは、サイドカバー１１６の長手方向の両端側にある副車輪１１９ｂよりも、体重計本体１１２の輪郭からの突出量が大きく設けられている。従って、図７に示すように、車輪１１９が床面に接するように体重計本体１１２を直立させる場合は、主車輪１１９ａと、２つの副車輪１１９ｂのいずれか一方と、が接地するようになる。車輪１１９をこのように構成することにより、体重計本体１１２を運搬する場合には、主車輪１１９ａと、２つの副車輪１１９ｂのいずれか一方と、を接地させながら移動させることができるとともに、移動方向を変更する場合には、主車輪１１９ａのみを接地させることにより、主車輪１１９ａを支点として体重計１１１の移動方向を容易に変えることが可能となる。
【００４０】
体重計本体１１２には、ケーブル１０９を介して表示ボックス１１３が連結されている。表示ボックス１１３は、被験者の重量を表示させたり、体重計１１１を作動させたりするために利用される。
【００４１】
〔体重計の収納工程〕
以下に、体重計１１１（主として体重計本体１１２）を収納スタンド１に収納する収納工程について図面を参照しつつ説明する。図８は、体重計１１１を収納した状態の収納スタンド１の第１支持体３及び第２支持体５を模式的に示す図であり、（ａ）は第１支持体３及び第２支持体５の揺動の第１状態を示す図、（ｂ）は第１支持体３及び第２支持体５の揺動の第２状態を示す図である。
【００４２】
使用者は、フック１１８を掴み、第１支持体３の傾斜部３ｄ又は第２支持体５の傾斜部５ｄのいずれか一方から、第１支持体３及び第２支持体５の平坦部３ａ、５ａ間の隙間Ｇ方向（図１、図３、図８（ａ）参照）へ移動させる。例えば、第２支持体５の傾斜部５ｄ側から体重計本体１１２を移動させる場合において、初期状態においては、第２支持体５は、傾斜部５ｄの端部が床面へ接近又は接触しているため、副車輪１１９ｂや主車輪１１９ａの傾斜部５ｄへの乗り入れが極めてスムーズに行われる。なお、図８（ａ）に示すように、このときの第２支持体５の平坦部５ａは水平状態になっており、第１支持体３及び第２支持体５は同期して揺動するようになっているため、第１支持体３の平坦部３ａも水平状態となる（図４参照）。
【００４３】
さらに、最初の副車輪１１９ｂが、隙間Ｇを通過する際には、第１支持体３及び第２支持体５の平坦部３ａ、５ａは、同期しているため両平坦部３ａ、５ａの床面からの高さが同じレベルになっている。従って、図８（ａ）の仮想線で示す通り、副車輪１１９ｂは、第２支持体５の平坦部５ａから第１支持体３の平坦部３ａへスムーズに移動することが可能である。
【００４４】
さらに、主車輪１１９ａが、第２支持体５を揺動可能に支持するピン１７を通過するまで体重計１１１を移動させると、第２支持体５が、ピン１７を中心に揺動する（図８（ｂ）の矢印５１方向に関して反時計回り）。同時に、第２支持体５は、第１支持体３と同期して揺動する構成であるため、第１支持体３は、ピン１７を中心に揺動する（図８（ｂ）の矢印５３方向に関して時計回り）。体重計１１１（主として体重計本体１１２）を収納スタンド１へ収納するための収納工程は、図８（ｂ）に示すように、主車輪１１９ａが、第１支持体３及び第２支持体５の平坦部３ａ、５ａ間に設けられている隙間Ｇへ到達することで完了する。
【００４５】
収納工程が完了した状態では、第１支持体３及び第２支持体５の平坦部３ａ、５ａが、図５、図８（ｂ）に示すように側面視で略Ｖ字形状となり、平坦部３ａ、５ａの先端部分（第１支持部３ａ１、５ａ１）で主車輪１１９ａ（突出部）を支持し、傾斜部３ｄ、５ｄの境界を画する稜線部分（第２支持部３ａ２、５ａ２）が、体重計１１１のサイドカバー１１６（すなわち端部）を支持する。また、図２の紙面の前後方向に関しては、体重計１１１は、第３支持体９及び第４支持体１１により支持される。
【００４６】
このように、第１支持体３は、主車輪１１９ａと、体重計１１１のサイドカバー１１６とを支持し、第２支持体も同様に、主車輪１１９ａと、体重計１１１のサイドカバー１１６とを支持することになり、正面視（図８（ｂ）参照）において主車輪１１９ａを中心に体重計１１１が揺動（図８（ｂ）の紙面に平行な面内において揺動）することを防止できる。上述の通り、収納スタンド１を用いることにより、収納時に底面となる領域に突出する部分がある機器であっても、機器を確実に収納することができる。
【００４７】
なお、上記実施形態では、第１支持体３及び第２支持体５の平坦部３ａ、５ａは、長手方向で直線状に延びる形状としたが、本発明はこの構成に限定されない。例えば、収納する機器の端部の形状に応じて、所定曲率半径の円弧状等とすることも可能である。また、本実施形態では、端部を支持するための２つの支持部材を設ける構成としたが、３つ以上支持部材を設ける構成とすることもできる。
【００４８】
本実施形態の収納スタンドにより収納される体重計は、３つの車輪を備え、主車輪が副車輪より突出する構成であるが、本発明の収納スタンドにより収納される機器の構成はこれに限定されないことは言うまでもない。また、本実施形態では、稜線３ｅ、５ｅが第２サイドカバーを支持する構成としたが、傾斜部３ｄ、５ｄにより第２サイドカバーを支持するような構成とすることも可能である。
【００４９】
本実施形態では、収納スタンドの第３支持体及び第４支持体に、転動体を設ける構成としたが、本発明はこの構成に限定されない。転動体の有無や数は、収納される機器の形状や寸法に応じて適宜変更できる。
【００５０】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００５１】
１                      収納スタンド
３                      第１支持体
３ａ                    平坦部
３ａ１                  第１支持部
３ａ２                  第２支持部
５                      第２支持体
５ａ                    平坦部
５ａ１                  第１支持部
５ａ２                  第２支持部
９                      第３支持体
１１                      第４支持体
１３                      基部構成部材
１５                      ビーム部材
１７                      ピン
２３                      連結凸部
２５                      連結凹部
３１                      第１車輪
４１                      第２車輪
４５                      表示ボックス保持台
１０９                      ケーブル
１１１                      体重計（機器）
１１２                      体重計本体（機器）
１１３                      表示ボックス
１１４                      プラットフォーム
１１５                      サイドカバー
１１６                      サイドカバー（端部）
１１８                      フック
１１９                      車輪（突出部）
Ｇ                      隙間
【図１】
0005510868.tif 000002
【図２】
0005510868.tif 000003
【図３】
0005510868.tif 000004
【図４】
0005510868.tif 000005
【図５】
0005510868.tif 000006
【図６】
0005510868.tif 000007
【図７】
0005510868.tif 000008
【図８】
0005510868.tif 000009